(57)【要約】【課題】ユーザの描画要求を優先的に受け付けて動作しつつ、ＯＳＤデータの破壊に備えてＯＳＤデータのリフレッシュを行うことができるテレビ受信装置【解決手段】リモコン受信部からＯＳＤによる描画要求を伴う信号が入力されると（＃１１）、描画処理を行う（＃１２）。その後、ＯＳＤが画面からクリアされると（＃１３）、タイマの計数を開始させる（＃１４）。タイマが一定時間を計数し（＃１５）、画面にＯＳＤが表示されていない場合には（＃１６においてＹＥＳ）、ＯＳＤデータのリフレッシュを行い（＃１７）、タイマの計数を停止させた後（＃１８）、＃１１に戻る。一方、画面にＯＳＤが表示されている場合は（＃１３，＃１６においてＮＯ）、ＯＳＤデータのリフレッシュを行うことなく＃１１に戻る。【選択図】        図４
2005039398.tif 000002
【特許請求の範囲】
【請求項１】
テレビ放送信号を受信するチューナと、受信したテレビ放送信号から映像データ及び音声データを分離して復号するデコーダと、復号された映像データ及び音声データをモニタ装置が出力可能なデータに変換して出力する映像・音声出力部と、この映像・音声出力部が出力した映像データに所定のＯＳＤ（Ｏｎ  Ｓｃｒｅｅｎ  Ｄｉｓｐｌａｙ）データを重畳してモニタ装置に出力するＯＳＤ出力部と、ユーザにより操作され、操作に応じた所定の信号を出力するリモコン装置及び本体操作部と、このリモコン信号からの信号を受信するリモコン受信部と、時間を計数するタイマと、所定の制御プログラムを記憶する記憶部と、前記所定のプログラムに従って装置全体の制御を行う制御部とを備えたテレビ受信装置において、
前記ＯＳＤ出力部は、前記映像・音声出力部が出力した映像データに重畳されるＯＳＤデータを記憶するための第１のメモリと、この第１のメモリに出力するデータを蓄積する第２のメモリと、記憶したデータがラインノイズの影響によって破壊されない場所に配置され、前記制御部から入力されたＯＳＤデータを記憶して、前記第２のメモリに出力すると共に、該ＯＳＤデータを、前記第１のメモリ及び第２のメモリに記憶されているＯＳＤデータを開放／再取得（リフレッシュ）するときに用いるバックアップデータとして記憶するリフレッシュ用バッファと、記憶したデータがラインノイズの影響によって破壊されない場所に配置され、該制御部からの描画処理指令を受け付けて記憶する描画処理受付用バッファとを有し、
前記制御部は、ＯＳＤの描画処理を行った後、ＯＳＤがモニタ装置の画面からクリアされたとき、前記タイマに計数を開始させ、前記リモコン装置又は本体操作部から描画要求が出力されずに一定時間が経過し、画面にＯＳＤが表示されていないとき、前記リフレッシュ用バッファに記憶させているバックアップデータを用いて、前記第１のメモリ及び第２のメモリが記憶しているＯＳＤデータをリフレッシュすることにより、
ユーザの描画要求を優先的に受け付けて動作しつつ、描画要求がないときにＯＳＤデータのリフレッシュを行うように構成したことを特徴とするテレビ受信装置。
【請求項２】
テレビ放送信号を受信するチューナと、受信したテレビ放送信号から映像データ及び音声データを分離して復号するデコーダと、復号された映像データ及び音声データをモニタ装置が出力可能なデータに変換して出力する映像・音声出力部と、この映像・音声出力部が出力した映像データに所定のＯＳＤ（Ｏｎ  Ｓｃｒｅｅｎ  Ｄｉｓｐｌａｙ）データを重畳してモニタ装置に出力するＯＳＤ出力部と、ユーザにより操作され、操作に応じた所定の信号を出力する操作部と、所定の制御プログラムを記憶する記憶部と、前記所定のプログラムに従って装置全体の制御を行う制御部とを備えたテレビ受信装置において、
前記ＯＳＤ出力部は、前記映像・音声出力部が出力した映像データに重畳されるＯＳＤデータを記憶するためのメモリを有し、
前記制御部は、ＯＳＤの描画処理を行った後、ＯＳＤがモニタ装置の画面からクリアされたとき、前記記憶部に記憶させているバックアップデータを読み出して、前記ＯＳＤ出力部のメモリに記憶させているＯＳＤデータを開放／再取得させることによりＯＳＤデータのリフレッシュを行うことを特徴とするテレビ受信装置。
【請求項３】
時間を計数するタイマをさらに備え、
前記制御部は、ＯＳＤの描画処理を行った後、ＯＳＤがモニタ装置の画面からクリアされたとき、前記タイマに計数を開始させ、前記操作部から描画要求が出力されずに一定時間が経過し、画面にＯＳＤが表示されていないとき、前記メモリに記憶させているＯＳＤデータをリフレッシュすることにより、
ユーザの描画要求を優先的に受け付けて動作しつつ、描画要求がないときにＯＳＤデータのリフレッシュを行うように構成したことを特徴とする請求項２に記載のテレビ受信装置。
【請求項４】
前記ＯＳＤ出力部は、前記制御部から入力されたＯＳＤデータを記憶して、前記メモリに出力すると共に、該ＯＳＤデータを、該メモリに記憶されているＯＳＤデータを開放／再取得（リフレッシュ）するときに用いるバックアップデータとして記憶するリフレッシュ用バッファを有し、
前記リフレッシュ用バッファは、記憶したデータがラインノイズの影響によって破壊されない場所に配置されていることを特徴とする請求項３に記載のテレビ受信装置。
【発明の詳細な説明】
【０００１】
【発明の属する技術分野】
本発明は、テレビ受信装置に関するものである。
【０００２】
【従来の技術】
テレビ受信装置においては、チャンネル番号の表示等に代表される各種の情報をＯＳＤ（Ｏｎ  Ｓｃｒｅｅｎ  Ｄｉｓｐｌａｙ）により表示可能とするために、ＯＳＤ出力回路が備えられている。ＯＳＤ出力回路は、通常、映像出力回路から出力された映像データにＯＳＤデータを重畳する映像合成回路と、重畳されたＯＳＤデータを記憶する記憶回路等によって構成されている。しかしながら、記憶回路に記憶されているＯＳＤデータは、何らかの要因（例えば、ラインノイズの混入等）によって破壊される可能性があり、このような破壊されたＯＳＤデータが画面表示に用いられた場合、異常な画面が表示され、ユーザに不快感を与える。
【０００３】
そこで、記憶回路に記憶されているＯＳＤデータを定期的に開放／再取得することによりリフレッシュするように構成されたＯＳＤ制御方法が知られている（例えば、特許文献１参照）。また、プログラムメモリに記憶されている予め圧縮されたＯＳＤデータをＯＳＤ出力回路に転送し、ＯＳＤ出力回路に設けられた伸張回路がＯＳＤデータを伸張してＯＳＤ表示を行うように構成されたモニタ装置が知られている（例えば、特許文献２参照）。
【０００４】
【特許文献１】
特開２０００−２３０５９号公報
【特許文献２】
特開２００１−８６４２４号公報
【０００５】
【発明が解決しようとする課題】
ところで、近年のテレビ受信装置は、単純なチャンネル番号表示のみならず簡単な番組情報等の各種の情報がＯＳＤで表示できるように構成されており、それに伴い、ＯＳＤ表示画面の解像度も高く設定され（例えば、７００×４８０ドット等）、処理しなければならないデータ量も飛躍的に増大している。従って、ＯＳＤデータのリフレッシュに要する時間は、以前とは比較にならないほど長くなっている。しかしながら、上記特許文献１に示されたＯＳＤ制御方法では、ＯＳＤデータを定期的にリフレッシュするので、ユーザがＯＳＤの描画要求を伴う指令を入力する直前にリフレッシュ処理が開始された場合、リフレッシュ処理が完了するまで別の処理を行うことができず、ユーザに不快感を与えることになる。また、特許文献２に示されたモニタ装置の技術を応用しても、ＯＳＤデータのデータ量が大きくなればその圧縮／伸張に時間がかかることになるので、上述した問題点を解決することができない。
【０００６】
本発明は、上述した問題点を解決するためになされたものであり、ユーザの描画要求を優先的に受け付けて動作しつつ、ＯＳＤデータの破壊に備えてＯＳＤデータのリフレッシュを行うことができるテレビ受信装置を提供することを目的とする。
【０００７】
【課題を解決するための手段】
上記目的を達成するために請求項１の発明は、テレビ放送信号を受信するチューナと、受信したテレビ放送信号から映像データ及び音声データを分離して復号するデコーダと、復号された映像データ及び音声データをモニタ装置が出力可能なデータに変換して出力する映像・音声出力部と、この映像・音声出力部が出力した映像データに所定のＯＳＤ（Ｏｎ  Ｓｃｒｅｅｎ  Ｄｉｓｐｌａｙ）データを重畳してモニタ装置に出力するＯＳＤ出力部と、ユーザにより操作され、操作に応じた所定の信号を出力するリモコン装置及び本体操作部と、このリモコン信号からの信号を受信するリモコン受信部と、時間を計数するタイマと、所定の制御プログラムを記憶する記憶部と、所定のプログラムに従って装置全体の制御を行う制御部とを備えたテレビ受信装置において、ＯＳＤ出力部は、映像・音声出力部が出力した映像データに重畳されるＯＳＤデータを記憶するための第１のメモリと、この第１のメモリに出力するデータを蓄積する第２のメモリと、記憶したデータがラインノイズの影響によって破壊されない場所に配置され、制御部から入力されたＯＳＤデータを記憶して、第２のメモリに出力すると共に、該ＯＳＤデータを、第１のメモリ及び第２のメモリに記憶されているＯＳＤデータを開放／再取得（リフレッシュ）するときに用いるバックアップデータとして記憶するリフレッシュ用バッファと、記憶したデータがラインノイズの影響によって破壊されない場所に配置され、該制御部からの描画処理指令を受け付けて記憶する描画処理受付用バッファとを有し、制御部は、ＯＳＤの描画処理を行った後、ＯＳＤがモニタ装置の画面からクリアされたとき、タイマに計数を開始させ、リモコン装置又は本体操作部から描画要求が出力されずに一定時間が経過し、画面にＯＳＤが表示されていないとき、リフレッシュ用バッファに記憶させているバックアップデータを用いて、第１のメモリ及び第２のメモリが記憶しているＯＳＤデータをリフレッシュすることにより、ユーザの描画要求を優先的に受け付けて動作しつつ、描画要求がないときにＯＳＤデータのリフレッシュを行うように構成したものである。
【０００８】
この構成によれば、ＯＳＤがモニタ装置の画面からクリアされ、その後一定時間が経過してもＯＳＤが表示されていない場合に、ＯＳＤデータをリフレッシュする。すなわち、上記一定時間内にユーザの描画要求があるときは、その描画要求を優先的に受け付けて動作する。一方、描画要求がないときは、その後、しばらくの時間は描画要求がないであろうと判断して、ＯＳＤデータのリフレッシュを実行する。第１のメモリ及び第２のメモリに記憶されているＯＳＤデータのリフレッシュは、リフレッシュ用バッファに記憶されているバックアップデータを用いることにより行うことができる。このリフレッシュ用バッファは記憶したデータがラインノイズの影響によって破壊されない場所に配置されているので、該バッファに記憶されているバックアップデータが破壊される虞はない。また、描画処理受付用バッファを有しているので、ユーザからの描画要求を受け付けてそれを逐次記憶しながら、ＯＳＤデータのリフレッシュを行うことができる。これにより、リフレッシュが完了した後、該バッファに記憶させた複数の描画要求に応じて順次ＯＳＤ表示することができる。
【０００９】
請求項２の発明は、テレビ放送信号を受信するチューナと、受信したテレビ放送信号から映像データ及び音声データを分離して復号するデコーダと、復号された映像データ及び音声データをモニタ装置が出力可能なデータに変換して出力する映像・音声出力部と、この映像・音声出力部が出力した映像データに所定のＯＳＤ（Ｏｎ  Ｓｃｒｅｅｎ  Ｄｉｓｐｌａｙ）データを重畳してモニタ装置に出力するＯＳＤ出力部と、ユーザにより操作され、操作に応じた所定の信号を出力する操作部と、所定の制御プログラムを記憶する記憶部と、所定のプログラムに従って装置全体の制御を行う制御部とを備えたテレビ受信装置において、ＯＳＤ出力部は、映像・音声出力部が出力した映像データに重畳されるＯＳＤデータを記憶するためのメモリを有し、制御部は、ＯＳＤの描画処理を行った後、ＯＳＤがモニタ装置の画面からクリアされたとき、記憶部に記憶させているバックアップデータを読み出して、ＯＳＤ出力部のメモリに記憶させているＯＳＤデータを開放／再取得させることによりＯＳＤデータのリフレッシュを行うものである。
【００１０】
この構成によれば、ＯＳＤがモニタ装置の画面からクリアされたとき、ＯＳＤデータをリフレッシュする。従って、リフレッシュを行える場合は、モニタ装置の画面にＯＳＤが表示されていない場合に限定されるが、請求項１の発明のようにリフレッシュ用バッファ及び描画処理受付用バッファ並びにタイマを用意する必要がなくなり、装置のコストダウンを図ることができる。
【００１１】
請求項３の発明は、請求項２に記載のテレビ受信装置において、時間を計数するタイマをさらに備え、制御部は、ＯＳＤの描画処理を行った後、ＯＳＤがモニタ装置の画面からクリアされたとき、タイマに計数を開始させ、操作部から描画要求が出力されずに一定時間が経過し、画面にＯＳＤが表示されていないとき、メモリに記憶させているＯＳＤデータをリフレッシュすることにより、ユーザの描画要求を優先的に受け付けて動作しつつ、描画要求がないときにＯＳＤデータのリフレッシュを行うように構成したものである。
【００１２】
この構成によれば、ＯＳＤがモニタ装置の画面からクリアされ、その後一定時間が経過してもＯＳＤが表示されていない場合に、ＯＳＤデータをリフレッシュする。すなわち、上記一定時間内にユーザの描画要求があるときは、その描画要求を優先的に受け付けて動作する。一方、描画要求がないときは、その後、しばらくの時間は描画要求がないであろうと判断して、ＯＳＤデータのリフレッシュを実行する。
【００１３】
請求項４の発明は、請求項３に記載のテレビ受信装置において、ＯＳＤ出力部は、制御部から入力されたＯＳＤデータを記憶して、メモリに出力すると共に、該ＯＳＤデータを、該メモリに記憶されているＯＳＤデータを開放／再取得（リフレッシュ）するときに用いるバックアップデータとして記憶するリフレッシュ用バッファを有し、リフレッシュ用バッファは、記憶したデータがラインノイズの影響によって破壊されない場所に配置されているものである。
【００１４】
この構成によれば、リフレッシュ用バッファに記憶されているバックアップデータを用いてメモリに記憶されているＯＳＤデータのリフレッシュを行うので、該メモリに記憶されているＯＳＤデータが何らかの理由で破壊された場合であっても、リフレッシュ後は正常なＯＳＤ表示を行うことができる。なお、リフレッシュ用バッファは記憶したデータがラインノイズの影響によって破壊されない場所に配置されているので、該バッファに記憶されているバックアップデータが破壊される虞はない。
【００１５】
【発明の実施の形態】
本発明の一実施形態によるテレビ受信装置について図面を参照して説明する。
図１はテレビ受信装置のブロック構成を示している。テレビ受信装置１は、放送局から送出されたテレビ放送信号を受信して、装置に接続されたモニタ装置３０が処理可能な映像データ及び音声データに変換して出力する装置である。テレビ受信装置１は、放送信号を受信するチューナ２と、チューナ２が受信した放送信号から映像データ、音声データ、その他の付属データを分離して復号するデコーダ３と、復号された映像データ及び音声データをモニタ装置が出力可能な映像データ及び音声データに変換する映像・音声出力部４と、映像・音声出力部４が出力した映像データに所定のＯＳＤ（Ｏｎ  Ｓｃｒｅｅｎ  Ｄｉｓｐｌａｙ）データを重畳してモニタ装置３０に出力するＯＳＤ出力部５と、時間を計数するタイマ６と、装置全体の制御を行う制御部７と、制御部７の制御プログラムを記憶する記憶部８と、ユーザにより操作されるリモコン装置１０（操作部）から出力された信号を受信するリモコン受信部９と、ユーザがテレビ受信装置１に指令を入力するための操作キー部１１（本体操作部、操作部）等を備えている。ユーザによってリモコン装置１０が操作されると、リモコン装置１０から出力された信号がリモコン受信部９を介して制御部７に入力され、制御部７は入力された信号に応じた描画処理指令を、必要に応じてＯＳＤ出力部５に出力する。ユーザによって操作キー部１１が操作された場合も、ユーザによって操作されたキーに対応する信号が操作キー部１１から制御部７に入力され、制御部７は入力された信号に応じた描画処理指令を、必要に応じてＯＳＤ出力部５に出力する。映像データに重畳されるＯＳＤデータはＯＳＤ出力部５のＲＡＭ（後述する表画面用メモリ２２及び裏画面用メモリ２３）に記憶されている。
【００１６】
テレビ受信装置１は、ＯＳＤ出力部５のＲＡＭに記憶されているＯＳＤデータをユーザの手を煩わすことなく自動的にリフレッシュする機能を有しており、ＯＳＤデータが破壊された場合であっても、破壊されたＯＳＤデータをユーザの操作が行われないときに速やかに修復し、正確なＯＳＤ表示を行えるように構成されている。ＯＳＤデータが破壊されるという事態は、滅多に発生するものではないが、テレビ受信装置１の使用中に、ラインノイズの影響等、何らかの事情によりＯＳＤデータが破壊されることもあるため、上述したＯＳＤデータを自動的にリフレッシュする機能は非常に有効度の高い機能であるといえる。
【００１７】
図２は、ＯＳＤ出力部５のブロック構成を示している。ＯＳＤ出力部５は、映像・音声出力部４が出力した映像データにＯＳＤデータを重畳してモニタ装置３０に出力する映像合成部２１と、映像合成部２１によって重畳されるＯＳＤデータを記憶するための表画面用メモリ（第１のメモリ）２２と、表画面用メモリ２２に出力するデータを蓄積する裏画面用メモリ（第２のメモリ）２３と、表画面用メモリ２２及び裏画面用メモリ２３に記憶されているＯＳＤデータをリフレッシュするときに用いるバックアップデータを記憶するリフレッシュ用バッファ２４と、制御部７からの描画処理指令を受け付けて記憶する描画処理受付用バッファ２５等によって構成されている。ＯＳＤデータのリフレッシュはリフレッシュ用バッファ２４に記憶されているＯＳＤデータを用いて裏画面用メモリ２３内のＯＳＤデータを開放／再取得させ、その後、裏画面用メモリ２３内のＯＳＤデータを表画面用メモリ２２に反映させることによりなされる。
【００１８】
ＯＳＤデータを記憶するためのメモリとして、２つのメモリ、すなわち、表画面用メモリ２２と裏画面用メモリ２３とを有しているのは、モニタ装置の描画に対するＯＳＤデータの作成の遅延に起因するＯＳＤ表示画面のチラツキ等を防止するためである。すなわち、制御部７によって作成されたＯＳＤデータは、リフレッシュ用バッファ２４を介して、順次、裏画面用メモリ２３に記憶され、描画を行う全てのＯＳＤデータが裏画面用メモリ２３に記憶された後、この裏画面用メモリ２３に記憶されたＯＳＤデータが表画面用メモリ２２に転送される。裏画面用メモリ２３と表画面用メモリ２２との間の転送速度は、モニタ装置３０の描画速度に対して十分に速いことから、上述した構成によればＯＳＤ表示画面のチラツキ等を防止することができる。
【００１９】
リフレッシュ用バッファ２４及び描画処理受付用バッファ２５は、記憶したデータがラインノイズの影響によって破壊されない場所に配置されている。例えば、装置の小型化の推進も考慮すると、制御部７、記憶部８、リフレッシュ用バッファ２４及び描画処理受付用バッファ２５を１つのチップに集約することが望ましい。リフレッシュ用バッファ２４は、制御部７から入力されたＯＳＤデータを記憶すると共に、裏画面用メモリ２３に出力する。リフレッシュ用バッファ２４が記憶したＯＳＤデータは、表画面用メモリ２２及び裏画面用メモリ２３に記憶されているＯＳＤデータをリフレッシュするときに用いるバックアップデータとして活用さ７から出力された描画処理指令を受け付けて、それを逐次記憶する。ＯＳＤ出力部５のように、表画面用メモリ２２、裏画面用メモリ２３及びリフレッシュ用バッファ２４等から成るＯＳＤデータが処理される系統と、描画処理受付用バッファ２５等から成る描画指令が処理される系統とを別系統として、制御部７から間接的にＯＳＤの描画を行う手法は、複数の描画処理指令が連続して入力されたとき、途中の絵（ＯＳＤ）を逐次表示する必要がある複雑な描画処理を行うプログラムに最適である。
【００２０】
上述のごとく構成されたテレビ受信装置１によれば、リフレッシュ用バッファ２４に記憶されているバックアップデータを用いて裏画面用メモリ２３に記憶されているＯＳＤデータのリフレッシュを行うので、表画面用メモリ２２、裏画面用メモリ２３に記憶されているＯＳＤデータが何らかの理由で破壊された場合であっても、リフレッシュ後は正常なＯＳＤ表示を行うことができる。また、描画処理受付用バッファ２５を有しているので、制御部７から出力された描画処理指令を受け付けて、それを逐次記憶しながら、ＯＳＤデータのリフレッシュを行うことができる。これにより、リフレッシュが完了した後、描画処理受付用バッファ２５に記憶させた複数の描画要求に応じて順次ＯＳＤ表示することができる。さらに、リフレッシュ用バッファ２４及び描画処理受付用バッファ２５は記憶したデータがラインノイズの影響によって破壊されない場所に配置されているので、リフレッシュ用バッファ２４及び描画処理受付用バッファ２５に記憶されているバックアップデータ及び描画処理指令が破壊される虞はない。
【００２１】
本実施形態のテレビ受信装置１は、以下に説明する２つのモードのうちいずれかのモードでＯＳＤデータのリフレッシュを行うことができる。第１のモードは、モニタ装置３０の画面のＯＳＤ表示がクリアされた後、直ちにＯＳＤデータのリフレッシュを行うモード（リフレッシュタイマなしモード）であり、第２のモードは、ＯＳＤ表示がクリアされて一定時間が経過した後、ＯＳＤデータのリフレッシュを行うモード（リフレッシュタイマありモード）である。
【００２２】
以下、リフレッシュタイマなしモードにおける制御部７の動作について図３を参照して説明する。リモコン受信部９からＯＳＤによる描画要求を伴う信号が入力されると（＃１）、描画処理を行う（＃２）。その後、ＯＳＤが画面からクリアされて、画面にＯＳＤが表示されなくなると（＃３においてＹＥＳ）、ＯＳＤデータのリフレッシュを行い（＃４）、＃１に戻る。画面にＯＳＤが継続して表示されている場合は（＃３においてＮＯ）、ＯＳＤデータのリフレッシュを行うことなく＃１に戻る。なお、＃１においてリモコン受信部９からＯＳＤの描画要求を伴う信号が入力されないときは、処理を終了する。
【００２３】
このモードによれば、ＯＳＤが表示されていないときにＯＳＤデータのリフレッシュを実行するので、破壊されたＯＳＤデータをユーザの手を煩わすことなく自動的に修復することができる。また、このリフレッシュタイマなしモードのみを用いる場合は、タイマ６が不要となるので、装置のコストダウンを図ることができる。
【００２４】
上記リフレッシュタイマなしモードにおいては、ＯＳＤ表示を消すたびにＯＳＤデータのリフレッシュを行うので、ユーザによってリモコン装置１０又は操作キー部１１の操作が連続して行われ、ＯＳＤの表示／非表示を繰り返して行わなければならない場合は、上記の処理がハングアップして、ユーザの描画要求に対して装置の反応が遅れる虞がある。そこで、以下に説明するリフレッシュタイマありモードを用いれば、このような問題を解消することができる。
【００２５】
上記リフレッシュタイマありモードにおける制御部７の動作について、図４を参照して説明する。リモコン受信部９からＯＳＤによる描画要求を伴う信号が入力されると（＃１１）、描画処理を行う（＃１２）。その後、ＯＳＤが画面からクリアされると（＃１３においてＹＥＳ）、タイマ（ＯＳＤリフレッシュタイマ）６の計数を開始させる（＃１４）。タイマ６が一定時間を計数し（＃１５）、画面にＯＳＤが表示されていない場合には（＃１６においてＹＥＳ）、ＯＳＤデータのリフレッシュを行い（＃１７）、タイマ６の計数を停止させた後（＃１８）、＃１１に戻る。一方、＃１３において、画面にＯＳＤが継続して表示されている場合は（＃１３においてＮＯ）、＃１１に戻る。また、＃１６において画面にＯＳＤが表示された場合には（＃１６においてＮＯ）、ＯＳＤデータのリフレッシュを行うことなく＃１１に戻る。なお、＃１１においてリモコン受信部９からＯＳＤの描画要求を伴う信号が入力されないときは、処理を終了する。なお、＃１５における一定時間とは、例えば、数１０秒に亘ってリモコン受信部９から信号が入力されず、その後、しばらくの時間（ＯＳＤデータのリフレッシュに必要な時間）は描画要求がないであろうと判断できるに十分な時間である。
【００２６】
このモードにおいては、ＯＳＤがモニタ装置３０の画面からクリアされ、その後一定時間内にユーザの描画要求があるときは、その描画要求を優先的に受け付けて動作する。一方、描画要求がないときは、その後、しばらくの時間は描画要求がないであろうと判断して、ＯＳＤデータのリフレッシュを実行する。これにより、ユーザの操作によってＯＳＤの表示／非表示を繰り返して行わなければならない場合は、ＯＳＤデータのリフレッシュを行わないので、ユーザの描画要求に対して装置の反応が遅れることがなくなる。一方、一定時間内に描画要求がないときは、その後、しばらくの時間は描画要求がないであろうと判断して、ＯＳＤデータのリフレッシュを実行するので、破壊されたＯＳＤデータをユーザの手を煩わすことなくリフレッシュすることができる。
【００２７】
なお、本発明は上記実施形態の構成に限られることなく種々の変形が可能であり、例えば、ＯＳＤ出力部は、図２に示した構成に限られることなく、図５に示したような構成であってもよい。このＯＳＤ出力部２７は、図２におけるＯＳＤ出力部５から描画処理受付用バッファ２５を省いた簡素な構成とされ、テレビ受信装置１のコストダウンを図ることができる。ＯＳＤ出力部２７のように、描画処理受付用バッファ２５を省いた回路によって直接的にＯＳＤの描画を行う手法は、複数の描画処理指令が連続して入力されたとき、途中の絵（ＯＳＤ）を全て表示することができないので、単純な描画処理しか行わないプログラムに好適である。
【００２８】
また、ＯＳＤ出力部は、図６に示した構成であってもよい。このＯＳＤ出力部２８は、図５におけるＯＳＤ出力部２７からさらにリフレッシュ用バッファ２４を省いた構成とされる。ＯＳＤ出力部２８のように、リフレッシュ用バッファ２４を省いた回路によって、表画面用メモリ２２、裏画面用メモリ２３が記憶しているＯＳＤデータの開放／再取得を行う手法は、装置の製造コスト等の問題で、リフレッシュ用バッファ２４を用意できない場合に有効である。上記いずれのＯＳＤ出力部を採用するかは、テレビ受信装置１のグレード等によって決定すればよい。さらに、テレビ受信装置１は、テレビジョン受像機に内蔵される形態であっても構わない。
【００２９】
【発明の効果】
以上のように請求項１の発明によれば、一定時間内にユーザの描画要求があるときは、その描画要求を優先的に受け付けて動作するので、ユーザの描画要求に対して装置の反応が遅れることがなくなり、装置の使い勝手を高めることができる。一方、一定時間内に描画要求がないときは、その後、しばらくの時間は描画要求がないであろうと判断して、ＯＳＤデータのリフレッシュを実行するので、破壊されたＯＳＤデータをユーザの手を煩わすことなくリフレッシュすることができる。また、リフレッシュ用バッファに記憶されているバックアップデータを用いて第１のメモリ及び第２のメモリに記憶されているＯＳＤデータのリフレッシュを行うので、各メモリに記憶されているＯＳＤデータが何らかの理由で破壊された場合であっても、リフレッシュ後は正常なＯＳＤ表示を行うことができる。また、描画処理受付用バッファを有しているので、ユーザからの描画要求を受け付けてそれを逐次記憶しながら、ＯＳＤデータのリフレッシュを行うことができる。これにより、リフレッシュが完了した後、該バッファに記憶させた複数の描画要求に応じて順次ＯＳＤ表示することができる。
【００３０】
請求項２の発明によれば、ＯＳＤが表示されていないときにＯＳＤデータのリフレッシュを実行するので、破壊されたＯＳＤデータをユーザの手を煩わすことなくリフレッシュすることができる。また、リフレッシュ用バッファ及び描画処理受付用バッファ並びにタイマを用意する必要がないので、装置のコストダウンを図ることができる。
【００３１】
請求項３の発明によれば、一定時間内にユーザの描画要求があるときは、その描画要求を優先的に受け付けて動作するので、ユーザの描画要求に装置の反応が遅れることがなくなる。一方、描画要求がないときは、ＯＳＤデータのリフレッシュを実行するので、破壊されたＯＳＤデータをユーザの手を煩わすことなくリフレッシュすることができる。
【００３２】
請求項４の発明によれば、リフレッシュ用バッファに記憶されているバックアップデータを用いてメモリに記憶されているＯＳＤデータのリフレッシュを行うので、該メモリに記憶されているＯＳＤデータが何らかの理由で破壊された場合であっても、リフレッシュ後は正常なＯＳＤ表示を行うことができる。
【図面の簡単な説明】
【図１】本発明の一実施形態によるテレビ受信装置のブロック構成      図。
【図２】同装置に備えられたＯＳＤ出力部のブロック構成図。
【図３】同装置のリフレッシュタイマなしモードにおける制御部の動作を示したフローチャート。
【図４】同装置のリフレッシュタイマありモードにおける制御部の動作を示したフローチャート。
【図５】同装置に備えられた別のＯＳＤ出力部のブロック構成図。
【図６】同装置に備えられたさらに別のＯＳＤ出力部のブロック構成図。
【符号の説明】
１    テレビ受信装置
２    チューナ
３    デコーダ
４    映像・音声出力部
５    ＯＳＤ出力部
６    タイマ
７    制御部
８    記憶部
９    リモコン受信部
１０    リモコン装置
２２    表画面用メモリ（第１のメモリ）
２３    裏画面用メモリ（第２のメモリ）
２４    リフレッシュ用バッファ
２５    描画処理受付用バッファ
【図１】
2005039398.tif 000003
【図２】
2005039398.tif 000004
【図３】
2005039398.tif 000005
【図４】
2005039398.tif 000006
【図５】
2005039398.tif 000007
【図６】
2005039398.tif 000008